(57)【特許請求の範囲】
【請求項１】
飲料水が詰められた容器の注水口から注出した飲料水を、配管系統を介して飲料水注出コックから供給する飲料水のディスペンサであって、
前記配管系統中に、飲料水をそれぞれ貯留する冷水タンクと温水タンクとを設け、前記冷水タンクは冷却機を有すると共に、前記温水タンクは加熱機を有し、
前記注水口の下流側から分岐した分岐通路の各下流側を、前記冷水タンクと温水タンクの各上端部にそれぞれ接続すると共に、
該両タンクを、通路を開閉する開閉手段を有する連通路によって連通し、
前記飲料水注出コックを、前記注水口より低くかつ前記分岐通路よりも高い位置に配置し、
前記温水タンク内の温水を、前記分岐通路を通じて前記冷水タンクへ、さらに前記連通路を通じて前記温水タンクへと自然対流により配管系統全体に循環させて、雑菌の繁殖する可能性のある配管系統を殺菌することを特徴とする飲料水のディスペンサ。
【請求項２】
前記連通路によって前記冷水タンクの底部側と前記温水タンクを連通させたことを特徴とする請求項１に記載の飲料水のディスペンサ。
【請求項３】
前記飲料水注出コックは、前記冷水タンクから冷水を注出する冷水注出コックと、前記温水タンクから温水を注出する温水注出コックであることを特徴とする請求項１に記載の飲料水のディスペンサ。
【請求項４】
前記飲料水注出コックは、前記冷水タンクから冷水を注出する冷水注出コックと、前記温水タンクから温水を注出する温水注出コックであることを特徴とする請求項２に記載の飲料水のディスペンサ。
【請求項５】
前記飲料水注出コックは、前記冷水タンクから冷水を注出する冷水注出コックであることを特徴とする請求項１に記載の飲料水のディスペンサ。
【請求項６】
前記飲料水注出コックは、前記冷水タンクから冷水を注出する冷水注出コックであることを特徴とする請求項２に記載の飲料水のディスペンサ。
【請求項７】
前記飲料水注出コックは、前記温水タンクから温水を注出する温水注出コックであることを特徴とする請求項１に記載の飲料水のディスペンサ。
【請求項８】
前記飲料水注出コックは、前記温水タンクから温水を注出する温水注出コックであることを特徴とする請求項２に記載の飲料水のディスペンサ。
【請求項９】
前記温水タンクの容積を、前記冷水タンクの容積よりも大きく設定したことを特徴とする請求項１に記載の飲料水のディスペンサ。
【請求項１０】
前記温水タンクの容積を、前記冷水タンクの容積よりも大きく設定したことを特徴とする請求項２に記載の飲料水のディスペンサ。
【請求項１１】
前記温水タンクの容積を、前記冷水タンクの容積よりも大きく設定したことを特徴とする請求項３に記載の飲料水のディスペンサ。
【請求項１２】
前記温水タンクの容積を、前記冷水タンクの容積よりも大きく設定したことを特徴とする請求項５に記載の飲料水のディスペンサ。
【請求項１３】
前記温水タンクの容積を、前記冷水タンクの容積よりも大きく設定したことを特徴とする請求項７に記載の飲料水のディスペンサ。
【請求項１４】
前記温水タンクを、前記冷水タンクよりも上下方向に長く形成したことを特徴とする請求項１に記載の飲料水のディスペンサ。
【請求項１５】
前記温水タンクを、前記冷水タンクよりも上下方向に長く形成したことを特徴とする請求項２に記載の飲料水のディスペンサ。
【請求項１６】
前記温水タンクを、前記冷水タンクよりも上下方向に長く形成したことを特徴とする請求項３に記載の飲料水のディスペンサ。
【請求項１７】
前記温水タンクを、前記冷水タンクよりも上下方向に長く形成したことを特徴とする請求項５に記載の飲料水のディスペンサ。
【請求項１８】
前記温水タンクを、前記冷水タンクよりも上下方向に長く形成したことを特徴とする請求項７に記載の飲料水のディスペンサ。
【請求項１９】
前記温水タンクを、前記冷水タンクよりも上下方向に長く形成したことを特徴とする請求項９に記載の飲料水のディスペンサ。
【発明の詳細な説明】
【技術分野】
【０００１】
本発明は、飲料水のディスペンサに関し、とりわけ、温水タンク内の温飲料水を冷水タンクを含む配管系統全体に循環させて殺菌することが可能な飲料水のディスペンサに関する。
【背景技術】
【０００２】
この種の飲料水のディスペンサとしては、従来から種々のものが提供され、その一つとして以下の特許文献１に記載されたものが知られている。【０００３】
概略を説明すれば、このディスペンサは、冷蔵庫内に収容された飲料水が詰められた容器（バックインボックス）から飲料水を供給配管を介して飲用に供するものであって、前記供給配管中に、飲料水を貯留する加熱器を備えた温水タンクと、冷却器を備えた冷水タンクが配置されている。【０００４】
また、前記温水タンクと冷水タンクとを連通配管によって連通させていると共に、該連通配管に、循環用ポンプと循環用電磁弁が設けられている。【０００５】
そして、例えば夜間や休日などの前記ディスペンサを使用しない時間帯に、循環用電磁弁を開作動させて前記温水タンクと冷水タンクを連通配管によって連通させると共に、前記循環用ポンプを作動させて、加熱器によって比較的高温になった前記温水タンク内の温水を、冷水タンクを含む配管系統の全体に強制的に循環させて配管系統を殺菌するようになっている。
【特許文献１】特開平１１−１９０５７７号公報
【発明の開示】
【発明が解決しようとする課題】
【０００６】
しかしながら、前記公報記載のディスペンサにあっては、温水注出コックと冷水注出コックが、三方コネクターよりも低い位置にあるため、温水タンクと冷水タンク内の飲料水が使用されると、供給配管内の飲料水の水位が低下する。このため、配管系統を殺菌するために前記循環用ポンプを用いる必要があることから、この循環用ポンプ機器やこれの制御機器自体のコストの増加が余儀なくされていると共に、装置のメインテナンスに掛かる工数が増加してしまう。また、機器類の増加によって全体の配管構造が複雑になるため、装置の製造作業能率の低下と製造コストの高騰を招来している。【０００７】
そこで本発明は、循環用ポンプなどの機器類を廃止すると共に、配管構造を簡素化しつつ雑菌の繁殖する可能性のある配管系統を殺菌することのできる飲料水のディスペンサを提供することを目的としている。
【課題を解決するための手段】
【０００８】
請求項１に記載の発明は、飲料水が詰められた容器の注水口から注出した飲料水を、配管系統を介して飲料水注出コックから供給する飲料水のディスペンサであって、前記配管系統中に、飲料水をそれぞれ貯留する冷水タンクと温水タンクとを設け、前記冷水タンクは冷却機を有すると共に、前記温水タンクは加熱機を有し、前記注水口の下流側から分岐した分岐通路の各下流側を、前記冷水タンクと温水タンクの各上端部にそれぞれ接続すると共に、該両タンクを、通路を開閉する開閉手段を有する連通路によって連通し、前記飲料水注出コックを、前記注水口より低くかつ前記分岐通路よりも高い位置に配置し、前記温水タンク内の温水を、前記分岐通路を通じて前記冷水タンクへ、さらに前記連通路を通じて前記温水タンクへと自然対流により配管系統全体に循環させて、雑菌の繁殖する可能性のある配管系統を殺菌することを特徴としている。
【０００９】
この発明によれば、冷水タンクと温水タンク内の飲料水が使用されて、配管系統内の飲料水の水位が低下しても、飲料水注出コックの配設位置が前記分岐通路よりも高い位置にあるため、飲料水は、冷水タンクと温水タンクの両方に満たされた状態になることは勿論のこと、分岐通路内も十分に満たされた状態になる。【００１０】
このため、たとえ配管系統内の飲料水の水位が所定以下に低下しても、前述のように、殺菌を行うために温水タンクの温水が分岐通路から冷水タンクへ、さらには連通路を介して温水タンク内へ常に循環させることが可能になる。【００１１】
この結果、たとえ、配管系統内の飲料水の水位が所定以下に低下しても、配管系統を常に効果的に殺菌することが可能になる。【００１２】
また、配管系統内の飲料水の水位が低下し、飲料水注出コックから飲料水を注出できなくなると、使用者は、飲料水が詰められた容器内の飲料水が空になっていることを早期に認識することができる。【００１３】
さらに、従来のような循環用ポンプなどの機器類が全く不要になるので、コストやメインテナンスにかかる工数の低減化が図れると共に、配管構造を十分に簡素化できるので、製造作業が容易になり、この点でもコストの低減化が図れる。【００１４】
請求項２に記載の発明は、前記連通路によって前記冷水タンクの底部側と前記温水タンクを連通させたことを特徴としている。【００１５】
この発明によれば、装置の配管構造を、簡素かつコンパクトにすることができると共に、温水タンク内で加熱された温水を冷水タンクを含む配管系統全体に行き渡らせることが可能になる。【００１６】
請求項３及び４に記載の発明にあっては、前記飲料水注出コックは、前記冷水タンクから冷水を注出する冷水注出コックと、前記温水タンクから温水を注出する温水注出コックであることを特徴としている。【００１７】
これらの発明によれば、温飲料水及び冷飲料水を飲用に供するディスペンサにおいて、装置の配管構造を、簡素かつコンパクトにすることができると共に、温水タンク内で加熱された温水を冷水タンクを含む配管系全体に行き渡らせることが可能になる。【００１８】
請求項５及び６に記載の発明にあっては、前記飲料水注出コックは、前記冷水タンクから冷水を注出する冷水注出コックであることを特徴としている。【００１９】
これらの発明によれば、冷飲料水を飲用に供するディスペンサにおいて、装置の配管構造を、簡素かつコンパクトにすることができると共に、温水タンク内で加熱された温水を冷水タンクを含む配管系全体に行き渡らせることが可能になる。【００２０】
請求項７及び８に記載の発明にあっては、前記飲料水注出コックは、前記温水タンクから温水を注出する温水注出コックであることを特徴としている。【００２１】
これらの発明によれば、温飲料水を飲用に供するディスペンサにおいて、装置の配管構造を、簡素かつコンパクトにすることができると共に、温水タンク内で加熱された温水を冷水タンクを含む配管系全体に行き渡らせることが可能になる。【００２２】
請求項９〜１３に記載の発明は、前記温水タンクの容積を、前記冷水タンクの容積よりも大きく設定したことを特徴としている。【００２３】
これらの発明によれば、前記温水タンクの容積が冷水タンクの容積よりも大きいことから、温水タンク内で作られた高温多量の温水を冷水タンクを含む配管系統全体に十分かつ速やかに行き渡らせることができる。この結果、殺菌効果が向上する。【００２４】
請求項１４〜１９に記載の発明は、前記温水タンクを、前記冷水タンクよりも上下方向に長く形成したことを特徴としている。【００２５】
これらの発明によれば、前記温水タンクの上端部を前記冷水タンクの上端部よりも高い位置に設定したため、加熱器による温水タンク内の温水の加熱効率が向上する。
【図面の簡単な説明】
【００２６】
【図１】本発明に係る飲料水ディスペンサの第１の実施形態を示す概略図である。
【図２】本実施形態の作用説明図である。
【図３】本発明の第２の実施形態を示す概略図である。
【図４】本発明の第３の実施形態を示す概略図である。
【発明を実施するための最良の形態】
【００２７】
以下、本発明に係る飲料水のディスペンサの各実施形態を図面に基づいて説明する。【００２８】
すなわち、まず、第１の実施形態におけるディスペンサは、図１に示すように、ボックス状の冷蔵庫２１内に収容されて、飲料水が詰められた容器であるバックインボックス２２と、該バックインボックス２２の下端部に一体的に接続されて内部に注水口２３が形成された注水管２４と、該注水管２４の下流端に接続されて、通路が左右に分岐された分岐通路であるほぼ水平な分岐管２５と、前記分岐管２５の両端側下流部が接続された冷水タンク２６及び温水タンク２７と、該両タンク２６，２７の底部２６ａ、２７ａ側の内部を連通する連通路である連通管２８と、該連通管２８に設けられて該連通管２８を開閉する開閉手段である電磁開閉弁２９とを備えている。なお、この実施形態では、前記バックインボックス２２内の飲料水は、ミネラルウォーターが詰められているが、必ずしもミネラルウォーターに限定されるものではない。【００２９】
前記冷水タンク２６と温水タンク２７は、並列に配置されて底部２６ａ、２７ａの高さがほぼ同一になるように配置されているが、温水タンク２７の方が上方へ若干延びて冷水タンク２６よりも大きな容量に形成されている。また、冷水タンク２６の上端部外周には、内部の飲料水を冷却する冷却器３０が設けられている一方、温水タンク２７の下端部外周には、内部の飲料水を加熱するヒータ加熱器３１がそれぞれ設けられている。【００３０】
また、前記冷水タンク２６と温水タンク２７の各上端部には、冷水、温水注出管３２、３３が接続されていると共に、この各注出管３２，３３に、冷水注出コック３４と温水注出コック３５がそれぞれ設けられている。なお、前記冷水注出管３２には、加熱ヒータ３６が取付けられている。また、前記温水タンク２７の上端部には、内部の飲料水の加熱膨張を吸収する吸収用管３７がほぼ垂直方向に沿って取付られている。【００３１】
また、前記電磁開閉弁２９は、一方向弁であって、図外のコントローラから電磁コイルに出力された制御電流によって開閉作動し、ディスペンサの通常使用時には、コントローラからの制御電流が遮断されて、内部のバルブスプリングのばね力によって弁体が連通管２８を閉止する一方、深夜などの所定の時間帯になると、コントローラから出力された制御電流によって連通管２８を開くようになっている。【００３２】
そして、前記冷水注出コック３４と温水注出コック３５は、その高さ位置Ｈが、前記各注出管３２，３３を介して前記バックインボックス２２の注水口２３より低くかつ前記分岐管２５よりも高い位置に配置されている。好ましくは、両注出コック３４，３５の内部の上端が注水口２３より低く、かつ両注出コック３４，３５の内部の下端が分岐管２５の内部の上端よりも高い位置に配置されている。【００３３】
さらに好ましくは、両抽出コック３４，３５の内部の上端が前記冷蔵庫２１の内部の下端より低く、かつ両抽出コック３４，３５の内部の下端が分岐管２５の内部の上端よりも高い位置に配置されている。【００３４】
なお、両抽出コック３４，３５は、互いに異なる高さ位置に配置されていてもよい。【００３５】
以下、本実施形態の作用について説明する。【００３６】
まず、ディスペンサの通常の使用時では、装置の上部に装着されたバックインボックス２２内の飲料水は、冷蔵庫２１内で約４℃〜１０℃に冷却されながら雑菌の繁殖が抑制され、矢印で示すように、自重によって注水口２３から分岐点Ｐを経て分岐管２５内で左右に分流しつつ冷水タンク２６と温水タンク２７内に直接かつ同時に供給される。【００３７】
その後、各タンク２６，２７内で、冷却器３０やヒータ加熱器３１により約４℃〜１０℃に冷却あるいは約８０℃〜９０℃に加熱されて、各冷水注出コック３４及び温水注出コック３５から飲用に供されることになる。【００３８】
一方、深夜などのディスペンサを使用しない時間帯に、電磁開閉弁２９が連通管２８を開放すると共に、冷却器３０の作動が停止され、かつヒータ加熱器３１が継続的に作動して温水タンク２７内の飲料水を殺菌能力のある温度、例えば約４９℃以上にて、所定の時間加熱する。【００３９】
加熱された温水は、図１の破線矢印で示すように、自然対流によって該温水タンク２７内から上昇流動して、その一部が温水注出管３３内に流入して温水注出コック３５の各部を殺菌すると共に、その大部分が分岐管２５内に流入し、さらに冷水タンク２６内に流入する。ここで冷水タンク２６内の冷水に対流により混合して飲料水を所定温度まで上昇させる。【００４０】
また、前記分岐管２５内の温水は、その一部が注水管２４内に流入して注水管２４の各部も殺菌する。【００４１】
その後、冷水タンク２６内で僅かに温度が低下した温水は、冷水タンク２６の底部２６ａから連通管２８内を通流して温水タンク２７内に戻り、ここで再び加熱されて冷水タンク２６などを含む配管系統全体に行き渡って雑菌の繁殖する可能性のある各部を殺菌する。【００４２】
また、前記冷水タンク２６内の温水は、その一部が冷水注出管３２内に流入して冷水注出コック３４の各部も殺菌する。但し、場合によっては、前記加熱ヒータ３６を作動させて冷水注出管３２内と冷水注出コック３４の各部を積極的に加熱殺菌することも可能である。【００４３】
なお、本実施形態においては、温水タンク２７内の飲料水が約８０℃〜９０℃に保たれているため、温水タンク２７、温水抽出管３３及び温水抽出コック３５は常に殺菌されている状態にあるが、温水タンク２７内の飲料水が殺菌能力のない温度、例えば約４９℃より下の温度の保たれている場合には、前記自然対流に伴い、温水タンク２７、温水抽出管３３及び温水抽出コック３５も加熱殺菌される。【００４４】
以上のように、この実施形態によれば、バックインボックス２２から注出された飲料水は、分岐管２５によって冷水タンク２６と温水タンク２７の両方に同時に供給することができるため、該冷水タンク２６と温水タンク２７をほぼ同一高さに設定することができる。【００４５】
したがって、温水注出コック３５と冷水注出コック３４の両方を前記両タンク２６，２７上方の高い位置、つまり装置の上方側の位置に配置することが可能になる。この結果、使用者の使い勝手が極めて良好になる。【００４６】
また、装置の上下方向の長さを短尺化でき、装置のコンパクト化を図ることができるので、バックインボックス２２の載置高さを下げ、温水乃至冷水の注出口コック３４，３５の高さを上げることにより、使用者の利便性が向上する。【００４７】
また、この実施形態では、循環用ポンプばかりか、前記従来のような循環用ポンプやこれを制御する制御機器などが全く不要になるので、配管構造を簡素化できる。【００４８】
すなわち、配管系統を殺菌するには、前述のように、温水タンク２７内の温水を、分岐管２５から注水管２４及び冷水タンク２６へ、さらに連通管２８を介して温水タンク２７へと温水を自然対流により配管系統全体に循環させるので、該ディスペンサの雑菌の繁殖する可能性のある配管系統を効果的に殺菌することが可能になると共に、配管構造を十分に簡素化できる。したがって、コストの低減化が図れる。【００４９】
しかも、冷水タンク２６と温水タンク２７内の飲料水が使用されて、配管系統内の飲料水の水位が低下しても、温水注出コック３５と冷水注出コック３４の配設位置Ｈが前記分岐管２５よりも高い位置あるため、飲料水は、図２の黒点に示すように、常に冷水タンク２６と温水タンク２７の両方に満たされた状態にあると共に、分岐管２５内も満たされた状態にある。【００５０】
このため、前記各注出コック３４，３５から冷水や温水を注出することはできないが、前述のように、殺菌を行うために温水タンク２７の温水が分岐管２５から注水管２４及び冷水タンク２６へ、さらには連通管２８を介して温水タンク２７内へ常に循環させることが可能になる。【００５１】
この結果、たとえ、配管系統内の飲料水が不足しても、雑菌の繁殖する可能性のある配管系統を効果的に殺菌することが可能になる。【００５２】
なお、この時点では、前述のように、各注出コック３４，３５からの注出ができないので、使用者はこの状態によってバックインボックス２２内の飲料水が空になっていることを早期に認識できる。すなわち、バックインボックス２２の交換時期を認識できる。【００５３】
また、前記温水タンク２７の容積が冷水タンク２６の容積よりも大きいことから、温水タンク２７内で作られた高温多量の温水を冷水タンク２６を含む配管系統全体に十分かつ速やかに行き渡らせることができる。この結果、冷水タンク２６内などの飲料水の温度上昇速度が速くなると共に、殺菌効果が向上する。【００５４】
さらに、前記温水タンク２７を、上下方向に長く形成したため、ヒータ加熱器３１による温水タンク２７内の温水の対流性が良好になって加熱効率が向上する。【００５５】
図３は本発明の第２の実施形態を示し、基本構造は第１の実施形態と同様であるから、同一の構成部位は同一の符号を付して具体的な説明を省略する。【００５６】
すなわち、この実施形態は、第１実施形態における温水タンク２７側の温水注出コック３５を廃止して、冷水タンク２６側の冷水注出コック３４のみを設けたものであり、したがって、飲料水としては、冷水のみの使用となる。【００５７】
そして、ディスペンサの通常の使用時には、前記コントローラからヒータ加熱器３１への通電が遮断されるようになっており、これによって、温水タンク２７内の水はほぼ常温状態を維持するようになっている。また、前記冷却器３０は、コントローラからの通電によって作動されて、冷却タンク２６内の飲料水が所定温度まで冷却される。このとき、電磁開閉弁２９は、コントローラによって閉作動状態に制御され、冷却タンク２６と温水タンク２７との連通を遮断するようになっている。【００５８】
また、夜間などでディスペンサを使用しない場合には、設定された時間から前記ヒータ加熱器３１に通電されて温水タンク２７内の飲料水を加熱する一方、前記冷却器３０には、前記ヒータ加熱器３１への通電後、所定時間まで通電されて冷却タンク２６内の飲料水を冷却する。同時に電磁開閉弁２９を開作動させて、連通管２８を介して冷却タンク２６と温水タンク２７とを連通させるようになっている。【００５９】
このように、ディスペンサの不使用時には、ヒータ加熱器３１を作動させて温水タンク２７内の飲料水を加熱することにより、かかる温水を注水管２３や分岐管２５及び冷却タンク２６、連通管２８などを含めた配管系全体が加熱されて、該配管系統全体を効果的に殺菌することができる。【００６０】
この加熱温度は、約５６℃〜６０℃程度に設定され、かつ加熱時間は少なくとも約１０分程度に設定されている。これらの加熱条件を満足すれば、十分な殺菌効果が得られる。しかし、配管の長さやタンク容量などによって加熱温度や加熱時間を任意に設定することが可能である。【００６１】
また、このとき、前記冷却器３０を当初一時的に作動させることにより、冷却タンク２６内と温水タンク２７内の飲料水の温度差や密度差が大きくなることから、配管系内の飲料水の自然対流が活発になって配管系統全体の飲料水の温度を速やかに上昇させることが可能になる。【００６２】
なお、前記冷却器３０への通電は、当初の一定の時間のみであるから、冷却タンク２６内の飲料水も温水タンク２７内から自然対流してきた温水によって速やかに温度を上昇させることができる。【００６３】
さらに、かかるディスペンサの不使用時には、冷水注出管３２に設けられた加熱ヒータ３６も作動させてもよく、前記冷水注出管３２及び該冷水注出管３２内に滞留した飲料水をさらに効果的に殺菌することも可能になる。【００６４】
また、本実施形態では、温水注出コック３５を廃止すると共に、ディスペンサの使用時には、ヒータ加熱器３１の作動を停止させるようにしたため、配管構造の簡素化が図れることは勿論のこと、電力消費を抑制することが可能になり、コストの低減化が図れる。【００６５】
他の構成は第１の実施形態と同様であるから、同じ作用効果が得られることは勿論である。【００６６】
図４は本発明の第３の実施形態を示し、基本構造は第１の実施形態と同様であるから、同一の構成部位は同一の符号を付して具体的な説明を省略する。【００６７】
すなわち、この実施形態は、第１実施形態における冷水タンク２６側の冷水注出コック３４を廃止して、温水タンク２７側の温水注出コック３５のみを設けたものであり、したがって、飲料水としては、温水のみの使用となる。【００６８】
そして、ディスペンサの通常の使用時には、前記冷却器３０への通電が遮断されて作動が停止されており、これによって、冷却タンク２６内の飲料水が常温状態を維持するようになっている。一方、前記ヒータ加熱器３１に通電されて温水タンク２７内の飲料水が所定の高い温度に維持されるようになっている。【００６９】
また、このとき、電磁開閉弁２９は、コントローラによって閉作動状態に制御され、冷却タンク２６と温水タンク２７との連通が遮断されている。【００７０】
また、夜間などでディスペンサを使用しない場合には、前記ヒータ加熱器３１に所定時間だけ連続して通電されて温水タンク２７内の飲料水を加熱する一方、前記冷却器３０は、ディスペンサの不使用時間になった時点ではじめて一時的に通電されて冷却タンク２６内の飲料水を冷却する。同時に電磁開閉弁２９を開作動させて、連通管２８を介して冷却タンク２６と温水タンク２７とを連通させるようになっている。【００７１】
このときのヒータ加熱器３１による温水タンク２７内の飲料水の加熱温度や加熱時間などは、第２の実施形態とほぼ同様である。【００７２】
このように、ディスペンサの不使用時には、ヒータ加熱器３１の作動を継続させて温水タンク２７内の飲料水を加熱することにより、かかる温水を注水管２３や分岐管２５及び冷却タンク２６、連通管２８などを含めた配管系全体が加熱されて、該配管系統全体を効果的に殺菌することができる。【００７３】
また、このとき、前述のように、冷却器３０を当初一時的に作動させることにより、冷却タンク２６内と温水タンク２７内の飲料水の温度差や密度差が大きくなることから、配管系内の飲料水の自然対流が活発になって配管系統全体の飲料水の温度を速やかに上昇させることが可能になる。【００７４】
なお、前記冷却器３０への通電は、当初の一定の時間のみであるから、冷却タンク２６内の飲料水も温水タンク２７内から自然体してきた温水によって速やかに温度を上昇させることができる。【００７５】
また、本実施形態も、冷水注出コック３４を廃止すると共に、ディスペンサの使用時には、冷却器３０の作動を停止させるようにしたため、配管構造の簡素化が図れることは勿論のこと、電力消費を抑制することが可能になり、コストの低減化が図れる。【００７６】
この発明は、前記実施形態の構成に限定されるものではなく、例えば、バックインボックス２２は、必ずしも冷蔵庫２１内に収容されていなくともよく、該バックインボックス２２の下端部に、内部に注水口２３が形成された注水管２４が一体的に接続されていればよい。【００７７】
この場合、両抽出コック３４，３５は、その高さ位置Ｈが、前記各抽出管３２，３３を介して前記バックインボックス２２の注水口２３と等しくかつ前記分岐管２５よりも高い位置に配置されている。好ましくは、両抽出コック３４，３５の内部の上端が注水口２３と等しく、かつ両抽出コック３４，３５の内部の下端が分岐管２５の内部の上端よりも高い位置に配置されている。【００７８】
また、例えば、前記注出管２４にバックインボックス２２から分岐管２５方向のみに飲料水の通流を許容する逆止弁を設けることも可能であり、これによって温水タンク２７内の温水がバックインボックス２２内に流入するのを防止できる。
【図１】
0004511552.tif 000002
【図２】
0004511552.tif 000003
【図３】
0004511552.tif 000004
【図４】
0004511552.tif 000005